(57)【要約】【課題】各種の状態を簡易な操作で制御できる携帯電話機及びその状態制御方法を提供する。【解決手段】携帯電話機は、表示面側の物体の有無を検出し、その検出結果を出力する第１のセンサと、携帯端末装置の厚さ方向の加速度を検出し、その検出結果を出力する第２のセンサとを備える。制御部は、イベントの発生時、第１のセンサから物体が有る状態を示す値が出力され、第２のセンサから携帯電話機が表示面を下にしている状態を示す値が出力されたとき、携帯電話機を上記イベントに対応して予め決められた所定の状態へ移行させる。【選択図】図１
2012186628.tif 000002
【特許請求の範囲】
【請求項１】
表示面が露出した携帯電話機であって、
前記表示面側の物体の有無を検出し、その検出結果を出力する第１のセンサと、
前記携帯端末装置の厚さ方向の加速度を検出し、その検出結果を出力する第２のセンサと、
イベントの発生時、前記第１のセンサから前記物体が有る状態を示す値が出力され、前記第２のセンサから前記携帯電話機が前記表示面を下にしている状態を示す値が出力されたとき、前記携帯電話機を前記イベントに対応して予め決められた所定の状態へ移行させる制御部と、
を有する携帯電話機。
【請求項２】
前記制御部は、
前記イベントの発生時、既に前記第１のセンサから前記物体が有る状態を示す値が出力され、前記第２のセンサから前記携帯電話機が前記表示面を下にしている状態を示す値が出力されている場合、
前記第１のセンサから前記物体が無い状態を示す値が出力され、前記第２のセンサから前記携帯電話機が前記表示面を上に向けている状態を示す値が出力され、その後、前記第１のセンサから前記物体が有る状態を示す値が出力され、前記第２のセンサから前記携帯電話機が前記表示面を下にしている状態を示す値が出力されたとき、前記携帯電話機を前記イベントに対応して予め決められた所定の状態へ移行させる請求項１記載の携帯電話機。
【請求項３】
前記移行する所定の状態は、
前記携帯電話機に対する着信時における、着信音またはバイブレータの振動を停止させることである請求項２記載の携帯電話機。
【請求項４】
前記移行する所定の状態は、
さらに、ディスプレイによる画像表示を停止させ、前記ディスプレイ用のバックライトを消灯させることである請求項３記載の携帯電話機。
【請求項５】
前記第１のセンサは近接センサであり、前記第２のセンサは加速度センサである請求項１から３のいずれか１項記載の携帯電話機。
【請求項６】
表示面が露出した携帯電話機の状態を制御するための状態制御方法であって、
前記表示面側の物体の有無を検出し、その検出結果を出力する第１のセンサと、
前記携帯端末装置の厚さ方向の加速度を検出し、その検出結果を出力する第２のセンサと、
を予め備えておき、
制御部が、イベントの発生時、前記第１のセンサから前記物体が有る状態を示す値が出力され、前記第２のセンサから前記携帯電話機が前記表示面を下にしている状態を示す値が出力されたとき、前記携帯電話機を前記イベントに対応して予め決められた所定の状態へ移行させる携帯電話機の状態制御方法。
【請求項７】
前記イベントの発生時、既に前記第１のセンサから前記物体が有る状態を示す値が出力され、前記第２のセンサから前記携帯電話機が前記表示面を下にしている状態を示す値が出力されている場合、
前記第１のセンサから前記物体が無い状態を示す値が出力され、前記第２のセンサから前記携帯電話機が前記表示面を上に向けている状態を示す値が出力され、その後、前記第１のセンサから前記物体が有る状態を示す値が出力され、前記第２のセンサから前記携帯電話機が前記表示面を下にしている状態を示す値が出力されたとき、前記携帯電話機を前記イベントに対応して予め決められた所定の状態へ移行させる請求項６記載の携帯電話機の状態制御方法。
【請求項８】
前記移行する所定の状態は、
前記携帯電話機に対する着信時における、着信音またはバイブレータの振動を停止させることである請求項７記載の携帯電話機の状態制御方法。
【請求項９】
前記移行する所定の状態は、
さらに、ディスプレイによる画像表示を停止させ、前記ディスプレイ用のバックライトを消灯させることである請求項８記載の携帯電話機の状態制御方法。
【請求項１０】
前記第１のセンサは近接センサであり、前記第２のセンサは加速度センサである請求項６から９のいずれか１項記載の携帯電話機の状態制御方法。
【発明の詳細な説明】
【技術分野】
【０００１】
本発明は携帯電話機及びその状態制御方法に関する。
【背景技術】
【０００２】
携帯電話機では、電話や電子メール等の着信時に音やバイブレータの振動を利用してユーザーに着信を知らせる機能が知られている。但し、ユーザーは、このような着信音やバイブレータの振動によって着信に気が付いても、直ぐに通話できないときがある。例えば、友人や知人あるいは会社の上司等との会話中に着信があった場合、会話中の話題が中断するために携帯電話機への応答を控えることが多い。また、全く知らない人からの着信や非通知着信等では応答に躊躇する。その場合、着信音が停止するのを待っていると、着信音により会話中の相手や周囲の人に迷惑をかけることになる。
【０００３】
上記機能を有する携帯電話機では、一般にマナーモードに設定することで着信音を停止させることが可能である。しかしながら、バイブレータの振動によって着信を通知するように設定していると、携帯電話機を机の上に置いている場合や周囲が静かである場合にバイブレータの振動音が大きく響くため、周囲の人に迷惑をかけてしまう。
【０００４】
このような問題に対処するための技術が、例えば特許文献１や特許文献２で提案されている。特許文献１では、折り畳み式の携帯電話機において、着呼時に、携帯電話機が閉じている場合、またはオン・フック操作やオフ・フック操作以外の操作がなされた場合に、着信音やバイブレータの振動を停止させることが記載されている。
【０００５】
また、特許文献２では、携帯電話機に加速度センサを備え、着信時に携帯電話機が裏返しにされると、着信音やバイブレータの振動を停止することが記載されている。
【先行技術文献】
【特許文献】
【０００６】
【特許文献１】特開２００２？１５２３２５号公報
【特許文献２】特開２００７−１６６４７４号公報
【発明の概要】
【発明が解決しようとする課題】
【０００７】
上述したように上記特許文献１は折り畳み式の携帯電話機を前提とした発明である。しかしながら、近年の携帯電話機は、スライド型、あるいはスマートフォンに代表されるストレート型の携帯電話機が多数開発されている。そのため、これらスライド型やストレート型の携帯電話機に適用可能な、着信音やバイブレータの振動を制御するための技術が望まれる。
【０００８】
一方、特許文献２は、折り畳み式の携帯電話機に限定するものではないが、操作性があまりよくない場合がある。例えば、携帯電話機を鞄等に無造作に入れている場合、ユーザーは、携帯電話機がどのような姿勢にあったのかを把握できないため、着信音やバイブレータの振動を停止させるために姿勢をいろいろと変化させる必要がある。また、鞄の中の携帯電話機を探しているうちに姿勢が変わると、ユーザーの意図に反して着信音やバイブレータの振動が停止することもある。
【０００９】
本発明は上述したような背景技術が有する問題点を解決するためになされたものであり、簡易な操作で状態を制御できる携帯電話機及びその状態制御方法を提供することを目的とする。
【課題を解決するための手段】
【００１０】
上記目的を達成するため本発明の携帯電話機は、表示面が露出した携帯電話機であって、
前記表示面側の物体の有無を検出し、その検出結果を出力する第１のセンサと、
前記携帯端末装置の厚さ方向の加速度を検出し、その検出結果を出力する第２のセンサと、
イベントの発生時、前記第１のセンサから前記物体が有る状態を示す値が出力され、前記第２のセンサから前記携帯電話機が前記表示面を下にしている状態を示す値が出力されたとき、前記携帯電話機を前記イベントに対応して予め決められた所定の状態へ移行させる制御部と、
を有する。
【００１１】
一方、本発明の携帯電話機の状態制御方法は、表示面が露出した携帯電話機の状態を制御するための状態制御方法であって、
前記表示面側の物体の有無を検出し、その検出結果を出力する第１のセンサと、
前記携帯端末装置の厚さ方向の加速度を検出し、その検出結果を出力する第２のセンサと、
を予め備えておき、
制御部が、イベントの発生時、前記第１のセンサから前記物体が有る状態を示す値が出力され、前記第２のセンサから前記携帯電話機が前記表示面を下にしている状態を示す値が出力されたとき、前記携帯電話機を前記イベントに対応して予め決められた所定の状態へ移行させる方法である。
【発明の効果】
【００１２】
本発明によれば、携帯電話機の状態を簡易な操作で制御できる。
【図面の簡単な説明】
【００１３】
【図１】本発明の携帯電話機の一構成例を示すブロック図である。
【図２】図１に示した携帯電話機の概観例を示す斜視図である。
【図３】図１に示した携帯電話機の内部の構成例を示す模式図である。
【図４】図１に示した携帯電話機の姿勢に対する加速度センサ及び近接センサの出力値の関係を示す模式図である。
【図５】図１に示した携帯電話機による着信音及びバイブレータの振動を停止させるための操作例を示す模式図である。
【図６】本発明の携帯電話機の状態制御方法の処理手順を示すフローチャートである。
【発明を実施するための形態】
【００１４】
次に本発明について図面を用いて説明する。
【００１５】
図１は、本発明の携帯電話機の一構成例を示すブロック図である。
【００１６】
図１に示すように、本発明の携帯電話機１００は、制御部１０１、スイッチ１０２、無線部１０３、ディスプレイ１０４、近接センサ（第１のスイッチ）１０６、加速度センサ（第２のスイッチ）１０５、マイク１０７、充電池１０８及びスピーカ１０９を備え、スイッチ１０２、無線部１０３、ディスプレイ１０４、加速度センサ１０５、近接センサ１０６、マイク１０７、充電池１０８及びスピーカ１０９が制御部１０１と接続された構成である。
【００１７】
スイッチ１０２は、ユーザーによる携帯電話機１００が備える各種の機能を選択するためのものである。
【００１８】
無線部１０３は、不図示の無線基地局と音声やデータ等の無線通信を可能にするための回路である。無線部１０３は、周知の無線通信回路で実現すればよく、どのような構成でもよい。
【００１９】
充電池１０８は、図１に示す携帯電話機１００の各構成要素に所要の電力を供給する。
【００２０】
近接センサ１０６は、物体が近くにあるときにＯＮし、近くに物体が無いときにＯＦＦするセンサである。本実施形態では、物体が近くにあるときに近接センサ１０６から「Ｈｉｇｈ」レベル（例えば、１．５Ｖ）の信号が出力され、近くに物体が無いときに「Ｌｏｗ」レベル（例えば、０Ｖ）の信号が出力されるものとする。以下では、「Ｈｉｇｈ」レベルの信号を単に「Ｈ」と称し、「Ｌｏｗ」レベルの信号を単に「Ｌ」と称す。近接センサ１０６には、静電容量型、超音波型、電磁波型、赤外線型等、検知対象が限定されなければ、周知のどのような形式のセンサを用いてもよい。
【００２１】
加速度センサ１０５は、Ｘ、Ｙ、Ｚの３軸方向の加速度をそれぞれ検出し、その検出結果を出力する。加速度センサ１０５には、機械式、光学式、半導体式等、周知のどのような形式のセンサを用いてもよい。本実施形態の加速度センサ１０５は、携帯電話機１００が、Ｘ、ＹまたはＺ軸に対して正方向を向いている場合は対応する軸から値「１」（１Ｇ：Ｇは重力加速度）が出力され、Ｘ、ＹまたはＺ軸に対して負方向を向いている場合は対応する軸から値「−１」（−１Ｇ）が出力されるものとする。また、携帯電話機がＸ、ＹまたはＺ軸に対して直交する方向を向いている場合は対応する軸から値「０」（０Ｇ）が出力されるものとする。なお、実際の加速度センサ１０５は、携帯電話機１０に対する取り付け精度や測定バラツキ等により、正確に「１」、「０」、「−１」等の値を出力するものではない。したがって、加速度センサ１０５の出力値に基づいて携帯電話機１００の姿勢を判定する場合は、「１」、「０」、「−１」の値に対してそれぞれある程度の検出幅（±０．２程度）を設けておくことが望ましい。以下では、加速度センサ１０５の出力値が「１」や「−１」と称した場合、これらの検出幅も含むものとする。
【００２２】
マイク１０７及びスピーカ１０９は、携帯電話機１００による音声通信を可能にするためのものである。スピーカ１０９は、着信音等を発生するために用いてもよい。
【００２３】
制御部１０１は、周知のＣＰＵ（Central Processing Unit）やメモリ等を備え、メモリにはＣＰＵで実行する各種の制御用プログラムや処理で用いる各種のデータが格納される。ＣＰＵは、メモリに格納された制御用プログラムにしたがって処理を実行することで、周知の携帯電話機としての機能を実現すると共に、後述する着信音やバイブレータを制御するための本発明の状態制御方法を実現する。
【００２４】
図２は、図１に示した携帯電話機の概観例を示す斜視図であり、図３は、図１に示した携帯電話機の内部の構成例を示す模式図である。図２及び図３は、スマートフォンと呼ばれるストレート型の携帯電話機を例示している。本発明の携帯電話機１００は、表示面が露出した構成であれば、ストレート型に限らずスライド型等にも適用可能である。
【００２５】
図２に示すように、本発明の携帯電話機１００は、その前面にディスプレイ１０４が配置され、前面の一方の端部にマイク１０７が配置され、他方の端部にスピーカ１０９及び近接センサ１０６が配置された構成である。また、携帯電話機１００の側面にはスイッチ１０２が配置されている。
【００２６】
図３に示すように、本発明の携帯電話機１００には、無線部１０３、充電池１０８、制御部１０１及び加速度センサ１０５が内蔵される。図３は、携帯電話機１００の長手方向がＸ軸となり、携帯電話機１００の長手方向と直交する方向がＹ軸となり、携帯電話機１００の厚さ方向がＺ軸となるように、加速度センサ１０５が配置されている。
【００２７】
このような構成において、図２に示すように、近接センサ１０６は、ディスプレイ１０４の表示面に隣接して配置されているため、ディスプレイ１０４の表示面に物体が近づくと「Ｈ」を出力し、物体が無い時に「Ｌ」を出力する。
【００２８】
また、図３に示すように、加速度センサ１０５は、携帯電話機１００の姿勢に応じて、Ｘ軸、Ｙ軸、Ｚ軸の加速度の値を−１〜１の範囲でそれぞれ出力する。以下では、加速度センサ１０５のＺ軸の出力値のみを使用する例を示すが、携帯電話機１００に対する加速度センサ１０５の取り付け方法に応じて、Ｘ軸またはＹ軸を用いる場合もある。
【００２９】
図４は、図１に示した携帯電話機の姿勢に対する加速度センサ及び近接センサの出力値の関係を示す模式図である。なお、図４は、図１〜図３に示した携帯電話機１００を縦または横にして机２００に置いているときの様子を示している。携帯電話機１００を置く場所は、机２００に限定されるものではなく、どこでもよい。
【００３０】
図４（ａ）は、加速度センサ１０５のＸ軸の出力値が「１」となるように、机２００に対して携帯電話機１００を縦に置いた様子を示し、図４（ｂ）は、加速度センサ１０５のＸ軸の出力値が「−１」となるように、机２００に対して携帯電話機１００を縦に置いた様子を示している。また、図４（ｃ）は、加速度センサ１０５のＺ軸の出力値が「１」となるように、机２００に対して携帯電話機１００を横に置いた様子を示し、図４（ｄ）は、加速度センサ１０５のＺ軸の出力値が「−１」となるように、机２００に対して携帯電話機１００を横に置いた様子を示している。
【００３１】
図４（ａ）及び（ｂ）に示すように携帯電話機１００を縦に置くと、加速度センサ１０５のＺ軸の出力値は「０」であり、近接センサ１０６からはそれぞれ「Ｌ」が出力される。
【００３２】
一方、図４（ｃ）に示すように携帯電話機１００を横に置くと、加速度センサ１０５のＺ軸の出力値は「１」であり、近接センサ１０６からは「Ｌ」が出力される。また、図４（ｄ）に示すように携帯電話機１００を横に置くと、加速度センサ１０５のＺ軸の出力値は「−１」であり、近接センサ１０６からは「Ｈ」が出力される。
【００３３】
本実施形態では、図４（ａ）〜（ｄ）に示した携帯電話機１００の姿勢に対する加速度センサ１０５の出力値及び近接センサ１０６の出力値の関係に基づき、携帯電話機１００に対する着信時（イベント発生時）における着信音やバイブレータを制御する。
【００３４】
例えば、携帯電話機１００が、図５に示すようにディスプレイ１０４の表示面を上にして置かれているときに着信があった場合、ユーザーが携帯電話機１００を裏返して机２００に置くと、加速度センサ１０５のＺ軸の出力値が「１」から「−１」に変化し、近接センサ１０６の出力値は「Ｌ」から「Ｈ」に変化する。
【００３５】
制御部１０１は、携帯電話機１００に対する着信時、加速度センサ１０５及び近接センサ１０６の出力値の変化をそれぞれ監視し、加速度センサ１０５のＺ軸の出力値が「−１」であり、かつ近接センサ１０６の出力値が「Ｈ」のときに、着信音やバイブレータによる振動を停止する。但し、携帯電話機１００に対する着信時に、既に加速度センサ１０５のＺ軸の出力値が「−１」であり、かつ近接センサ１０６の出力値が「Ｈ」である場合、制御部１０１は、加速度センサ１０５や近接センサ１０６の出力値が、一旦、他の値へ切り換わった後、再び加速度センサ１０５のＺ軸の出力値が「−１」になり、かつ近接センサ１０６の出力値が「Ｈ」になったときに、着信音やバイブレータによる振動を停止する。なお、以下では、加速度センサ１０５のＺ軸の出力値を「Ｇｚ」で表し、近接センサ１０６の出力値を「Ｋ」で表す。
【００３６】
次に本発明の携帯電話機の着信制御方法について図６を用いて説明する。
【００３７】
図６は、本発明の携帯電話機の状態制御方法の処理手順を示すフローチャートである。
【００３８】
以下に示す本実施形態の携帯電話機１００の処理は、制御部１０１が備えるＣＰＵがメモリに格納された制御用プログラムにしたがって処理を実行することで実現される。
【００３９】
図６に示すように、携帯電話機１００に対する着信時、制御部１０１は、まず近接センサ１０６の出力値を取得し（ステップＳ１０１）、近接センサ１０６の出力値Ｋが「Ｌ」であるか否かを判定する（ステップＳ１０２）。ステップＳ１０２では、携帯電話機１００の表示面近傍に何らかの物体があるか否かを判定している。ステップＳ１０２にて、Ｋが「Ｌ」である場合、制御部１０１はステップＳ１０３の処理へ移行する。
【００４０】
ステップＳ１０２にて、Ｋが「Ｈ」である場合、制御部１０１はＫの値を取得し（ステップＳ２０１）、Ｋが「Ｌ」であるか否かを判定する（ステップＳ２０２）。また、Ｋが「Ｌ」でない場合、制御部１０１は、ステップＳ２０１の処理に戻ってステップＳ２０１〜Ｓ２０２の処理を繰り返す。Ｋが「Ｌ」である場合、制御部１０１はステップＳ１０３の処理へ移行する。
【００４１】
ステップＳ１０３において、制御部１０１は、Ｋ及びＧｚの値を取得する（ステップＳ１０３）。そして、Ｋが「Ｈ」であり、かつＧｚが「−１」であるか否かを判定する（ステップＳ１０４）。Ｋが「Ｈ」であり、かつＧｚが「−１」でない場合、制御部１０１は、ステップＳ１０３の処理に戻ってステップＳ１０３〜Ｓ１０４の処理を繰り返す。
【００４２】
Ｋが「Ｈ」であり、かつＧｚが「−１」である場合、制御部１０１は、携帯電話機１００が表示面を下にして置かれていると判定し、着信による呼び出し動作を継続しつつ、着信音及びバイブレータの振動を停止させる（ステップＳ１０５）。
【００４３】
なお、図６のフローチャートには記載されていないが、ユーザーが着信に応答（オフ・フック）した場合、あるいは着信による呼び出し動作が停止した場合は、いつでも図６に示した処理から抜け出せるものとする。
【００４４】
携帯電話機１００に対する着信時、制御部１０１が図６に示したフローチャートによる処理を実行すると、近接センサ１０６や加速度センサ１０５の出力値の変化により、着信音やバイブレータによる振動を停止する条件が成立する。
【００４５】
例えば、机２００等に携帯電話機１００が表示面を上にして置かれている場合（図４（ｃ））、携帯電話機１００に対する着信があると、制御部１０１は、Ｋが「Ｌ」であるため、図６のステップＳ１０２からステップＳ１０３の処理へ移行する。
【００４６】
ここで、ユーザーがディスプレイ１０４に表示された着信相手を確認して応答（オフ・フック）すると、図６に示した処理から抜ける。また、ユーザーが携帯電話機１００を裏返して机２００等へ置くと、ステップＳ１０４の処理にてＫが「Ｈ」となり、かつＧｚが「−１」となるため、制御部１０１は着信音及びバイブレータの振動を停止する。
【００４７】
一方、机２００等に携帯電話機１００が表示面を下にして置かれている場合（図４（ｄ））、携帯電話機１００に対する着信があると、制御部１０１は、Ｋが「Ｈ」であるため、図６のステップＳ１０２からステップＳ２０１の処理へ移行する。
【００４８】
ここで、ユーザーが携帯電話機１００を机２００から取り上げると、Ｋが「Ｌ」に変化するため、制御部１０１は図６のステップＳ２０２からステップＳ１０３の処理へ移行する。その後、ユーザーがディスプレイ１０４に表示された着信相手を確認して応答（オフ・フック）すると、図６に示した処理から抜ける。また、ユーザーが、取り上げた携帯電話機１００を、表示面を下にした再び机２００に置くと、ステップＳ１０４の処理にてＫが「Ｈ」となり、かつＧｚが「−１」となるため、制御部１０１は着信音及びバイブレータの振動を停止する。
【００４９】
なお、携帯電話機１００が上記以外の姿勢にある場合（図４（ａ）、図４（ｂ）、またはその他）、携帯電話機１００に対する着信があると、制御部１０１は、Ｋが「Ｌ」である場合は図６のステップＳ１０２からステップＳ１０３の処理へ移行し、Ｋが「Ｈ」である場合は図６のステップＳ１０２からステップＳ２０１の処理へ移行し、Ｋが「Ｌ」になると、ステップＳ１０３の処理へ移行する。
【００５０】
ステップＳ１０３において、ユーザーがディスプレイ１０４に表示された着信相手を確認して応答（オフ・フック）すると、図６に示した処理から抜ける。また、ユーザーが携帯電話機１００の表示面を下にして机２００等へ置くと、ステップＳ１０４の処理にてＫが「Ｈ」となり、かつＧｚが「−１」となるため、制御部１０１は着信音及びバイブレータの振動を停止する。
【００５１】
本実施形態の携帯電話機によれば、加速度センサ１０５及び近接センサ１０６の出力値に基づき、ユーザーが携帯電話機１００の表示面を下にして置いたときに着信音やバイブレータの振動が停止するため、着信音やバイブレータの振動を簡易な操作で停止させることができる。すなわち、携帯電話機の状態を簡易な操作で制御できる。
【００５２】
また、スイッチやタッチパネル等を用いた操作により着信音やバイブレータの振動を停止させる必要がないため、着信音やバイブレータの振動を停止させるための専用の入力手段が不要であり、携帯電話機１００のデザインの自由度が向上し、また部品点数が増えることもない。
【００５３】
また、スマートフォン等の携帯電話機１００では、加速度センサ１０５や近接センサ１０６を既に備えているため、新たにセンサや部品等を追加する必要がない。
【００５４】
さらに、本実施形態の携帯電話機１００では、例えば鞄等に入れられていても、通常は鞄内の物や鞄の内壁により近接センサ１０６が「Ｈ」を出力するため、図６のステップＳ１０２からステップＳ２０１の処理へ移行し、Ｋが「Ｌ」になるまで（例えばユーザーが鞄から取り出すまで）ステップＳ１０３の処理へ移行しない。そのため、ユーザーの意図に反して着信音やバイブレータの振動が停止することがない。また、例えばユーザーが携帯電話機１００を鞄から取り出せば、図６のステップＳ２０２からステップＳ１０３の処理へ移行し、その後、ユーザーが表示面を下にして携帯電話機１００を机２００等に置けば、着信音やバイブレータの振動が停止する。そのため、着信音やバイブレータの振動を停止させるために、携帯電話機１００の姿勢をいろいろと変化させる必要がない。
【００５５】
なお、上記説明では、加速度センサ１０５と近接センサ１０６を用いる例を示したが、例えば近接センサ１０６に代えて照度センサを用いることも可能である。照度センサを用いても、表示面を下にして携帯電話機１００を机２００等に置けば、センサの周囲が暗くなるため、近接センサ１０６と同様に、携帯電話機１００が表示面を下にして置かれていることを検出できる。
【００５６】
また、上記説明では、ユーザーが携帯電話機１００の表示面を下にして机２００等に置いたときに、着信音やバイブレータの振動のみを停止させる例を示したが、例えば着信音やバイブレータの振動を停止させると共に、ディスプレイ１０４による画像表示を停止してもよく、またディスプレイ１０４用のバックライトを消灯させてもよい。その後、ユーザーが携帯電話機１００を再び取り上げたときは、画像表示やバックライトを点灯させ、着信音やバイブレータの振動は停止させたままにすればよい。画像表示の停止やバックライトの消灯を併せて実行すれば、携帯電話機１００の消費電力を低減できる。
【００５７】
また、上記説明では、携帯電話機１００に対する電話や電子メール等の着信時における着信音やバイブレータの振動を制御する例を示したが、携帯電話機１００が目覚まし時計の機能を備えている場合、本発明はアラーム音や時計の計時を一時停止させるための制御にも適用可能である。例えばアラーム音を制御する場合、アラーム音が鳴動すると（イベント発生時）、制御部１０１は、携帯電話機１００がディスプレイ１０４の表示面を下にして置かれると、アラーム音を一時停止させてスヌーズ状態へ移行する。その後、スヌーズ状態において再度アラーム音を鳴動すると、ユーザーが表示面を一旦上にし、その後再び表示面を下にして置けば、再びスヌーズ状態へ遷移させればよい。その場合、アラーム音の停止は、携帯電話機１００が備えるスイッチ１０２やタッチパネル等を利用した操作で行えばよい。
【００５８】
さらに、本発明の携帯電話機１００は、加速度センサ１０５及び近接センサ１０６の出力値をそれぞれ監視し、発生したイベントに対応して予め決められた所定の状態へ移行させることで、様々な状態制御にも応用可能である。例えば、画像や文字の閲覧または編集中に、携帯電話機１００が表示面を下にして置かれた場合、それまでディスプレイ１０４に表示していた画像や文字、あるいは編集していた画像や文字を制御部１０１が備えるメモリに一時的に保存し、待受け画面に移行させれば、表示中の画像や編集中の画像を瞬時に隠すことができる。その場合、ユーザーが、再度、携帯電話機１００を取り上げても、待受け画面を継続して表示させればよい。一時的に保存していた画像や文字等は、携帯電話機１００が備えるスイッチ１０２やタッチパネル等を利用した操作により戻せばよい。
【００５９】
また、スマートフォン等の携帯電話機１００では、画面表示を消すためのボタン等が用意されており、それを押すことで画面表示が消えて携帯電話機１００の状態変化を禁止するロック機能がある。本発明を用いれば、例えば、画像や文字の閲覧または編集中（状態制御中）に、携帯電話機１００が表示面を下にして置かれた場合、携帯電話機１００の状態変化を禁止するロック状態へ移行させることも可能である。その場合、ロック機能を有効にするためにボタンを無くす、または該ボタンに他の機能を割り当てることができる。
【符号の説明】
【００６０】
１００    携帯電話機
１０１    制御部
１０２    スイッチ
１０３    無線部
１０４    ディスプレイ
１０５    加速度センサ
１０６    近接センサ
１０７    マイク
１０８    充電池
１０９    スピーカ
【図１】
2012186628.tif 000003
【図２】
2012186628.tif 000004
【図３】
2012186628.tif 000005
【図４】
2012186628.tif 000006
【図５】
2012186628.tif 000007
【図６】
2012186628.tif 000008